(57)【特許請求の範囲】
【請求項１】
ベース部材に移動自在に設けられた第１可動部材と、この第１可動部材に移動自在に設けられた第２可動部材と、前記第１可動部材を移動させるアクチュエータを有する第１移動駆動機構とを備えた可動役物装置を装備したパチンコ遊技機において、
前記可動役物装置は、前記第１移動駆動機構により前記第１可動部材を移動駆動する動力を利用して前記第２可動部材を前記第１可動部材に対して移動駆動する第２移動駆動機構を備え、
前記第２移動駆動機構は、
前記第１可動部材に設けられ、前記第１可動部材の移動により作動する第１作動部材と、
前記第１可動部材に設けられ、前記第１可動部材に対して前記第２可動部材を移動させるように作動する第２作動部材と、
前記第１作動部材の作動に同期して前記第２作動部材を作動させる作動部材連動機構とを有し、
前記第１，第２作動部材が第１，第２ピニオンであり、前記作動部材連動機構が前記第１，第２ピニオンを同期回転させるピニオン連動機構であり、
前記第２移動駆動機構は、
前記第１ピニオンが噛合するように前記ベース部材に設けられ、前記第１可動部材の移動により前記第１ピニオンを回転させる第１ラックと、
前記第２ピニオンが噛合するように前記第２可動部材に設けられ、前記第２ピニオンの回転により前記第２可動部材を移動させる第２ラックとを有することを特徴とするパチンコ遊技機。
【請求項２】
前記ピニオン連動機構は、前記第１，第２ピニオンに夫々設けられた第１，第２プーリと、これら第１，第２プーリに掛装されたタイミングベルトとを有することを特徴とする請求項１に記載のパチンコ遊技機。
【請求項３】
前記第１移動駆動機構は、前記ベース部材に回転自在に支持されたネジ軸と、前記第１可動部材に設けられ前記ネジ軸に螺合されたナット部材とを有し、
前記アクチュエータが前記ネジ軸を回転駆動する電動モータからなることを特徴とする請求項１又は２に記載のパチンコ遊技機。
【請求項４】
前記可動役物装置は、前記ベース部材に前記第１，第２可動部材の軸線に対して対称に設けられ前記第１可動部材を移動自在にガイドする１対の第１ガイドロッドと、前記第１可動部材に前記軸線に対して対称に設けられ前記第２可動部材を移動自在にガイドする１対の第２ガイドロッドとを備えたことを特徴とする請求項１〜３の何れか１項に記載のパチンコ遊技機。
【発明の詳細な説明】
【技術分野】
【０００１】
本発明はパチンコ遊技機に関し、特に、第１可動部材を移動駆動する動力を利用して第２可動部材を第１可動部材に対して移動駆動する可動役物装置に関する。
【背景技術】
【０００２】
従来、パチンコ遊技機に装備された遊技演出用の可動役物装置は、ベース部材に移動自在に設けられた可動部材と、この可動部材を移動させる電動モータを有する移動駆動機構とを備えている。この可動役物装置の移動駆動機構に、ネジ軸・ナット機構（特許文献１参照）やラック・ピニオン機構（特許文献２参照）を採用したものは公知である。
【０００３】
ところで、可動部材に設けられた電飾機器等を含む演出部材（役物部材）を、通常時は画像表示器による表示の邪魔にならない位置に待機させ、演出の際に画像表示器の前側で移動させる可動役物装置が広く実用化されている。この可動役物装置では、演出部材が画像表示器の前側で移動することから、更にその際、画像表示器による表示と協働して遊技演出を行うことができるため、演出効果を高めることが可能になる。
【先行技術文献】
【特許文献】
【０００４】
【特許文献１】特開２００４−２８３３２６号公報
【特許文献２】特開２００９−６６０７８号公報
【発明の概要】
【発明が解決しようとする課題】
【０００５】
従来の可動役物装置において、移動駆動機構にネジ軸・ナット機構又はラック・ピニオン機構等の動力伝達機構を単独で採用したもの、即ち、移動駆動機構により１つの可動部材を（或いは、複数の可動部材を一体的に）移動させるだけのものでは、遊技盤や遊技盤に装備される他の機器等によって受ける可動役物装置の配置制約により、可動部材の移動量を大きくするのに限界がある。つまり、可動部材の移動量を大きくするほど、可動部材等が大型化し、その可動部材を移動させる為に必要な空間が大きくなるため、可動役物装置を配置するうえでの障害が大きくなる。
【０００６】
例えば、演出部材を画像表示器の前側（露出空間）で且つ直線的に移動させる場合、通常時に演出部材を画像表示器による表示の邪魔にならない位置に待機させるようにして、演出部材以外の可動部材や移動駆動機構等を極力露出させないようにできるが、そうして、演出部材の露出空間への突出量（可動部材の移動量）を大きくすることが困難になる。
【０００７】
本発明の目的は、可動部材の移動量を大きくすることができる可動役物装置を搭載したパチンコ遊技機を提供することである。
【課題を解決するための手段】
【０００８】
請求項１の発明（パチンコ遊技機）は、ベース部材(10)に移動自在に設けられた第１可動部材(11)と、この第１可動部材(11)に移動自在に設けられた第２可動部材(12)と、前記第１可動部材(11)を移動させるアクチュエータ(30)を有する第１移動駆動機構(16)とを備えた可動役物装置(5) を装備したパチンコ遊技機(1) において、前記可動役物装置(5) は、前記第１移動駆動機構(16)により前記第１可動部材(11)を移動駆動する動力を利用して前記第２可動部材(12)を前記第１可動部材(11)に対して移動駆動する第２移動駆動機構(17)を備え、前記第２移動駆動機構(17)は、前記第１可動部材(11)に設けられ、前記第１可動部材(11)の移動により作動する第１作動部材(41)と、前記第１可動部材(11)に設けられ、前記第１可動部材(11)に対して前記第２可動部材(12)を移動させるように作動する第２作動部材(42)と、前記第１作動部材(41)の作動に同期して前記第２作動部材(42)を作動させる作動部材連動機構(45)とを有し、前記第１，第２作動部材(41,42) が第１，第２ピニオン(41,42) であり、前記作動部材連動機構(45)が前記第１，第２ピニオン(41,42) を同期回転させるピニオン連動機構(45)であり、前記第２移動駆動機構(17)は、前記第１ピニオン(41)が噛合するように前記ベース部材(10)に設けられ、前記第１可動部材(11)の移動により前記第１ピニオン(41)を回転させる第１ラック(43)と、前記第２ピニオン(42)が噛合するように前記第２可動部材(12)に設けられ、前記第２ピニオン(42)の回転により前記第２可動部材(12)を移動させる第２ラック(44)とを有することを特徴としている。
【００１０】
請求項２の発明は、請求項１において、前記ピニオン連動機構(45)は、前記第１，第２ピニオン(41,42) に夫々設けられた第１，第２プーリ(46,47) と、これら第１，第２プーリ(46,47) に掛装されたタイミングベルト(48)とを有することを特徴としている。
【００１１】
請求項３の発明は、請求項１又は２において、前記第１移動駆動機構(16)は、前記ベース部材(10)に回転自在に支持されたネジ軸(31)と、前記第１可動部材(11)に設けられ前記ネジ軸(31)に螺合されたナット部材(32)とを有し、前記アクチュエータ(30)が前記ネジ軸(31)を回転駆動する電動モータ(30)からなることを特徴としている。
【００１３】
請求項４の発明は、請求項１〜３の何れか１項において、前記可動役物装置(5) は、前記ベース部材(10)に前記第１，第２可動部材(11,12) の軸線(m) に対して対称に設けられ前記第１可動部材(11)を移動自在にガイドする１対の第１ガイドロッド(18)と、前記第１可動部材(11)に前記軸線(m) に対して対称に設けられ前記第２可動部材(12)を移動自在にガイドする１対の第２ガイドロッド(19)とを備えたことを特徴としている。
【発明の効果】
【００１５】
本発明（パチンコ遊技機）によれば、可動役物装置において、アクチュエータを有する第１移動駆動機構により第１可動部材を移動駆動することにより、その動力を利用して第２移動駆動機構により第２可動部材を第１可動部材に対して移動駆動するので、第２可動部材の移動量を大きくすることができる。
【図面の簡単な説明】
【００１６】
【図１】可動役物装置（演出部材が待機位置）を装備した遊技盤の正面図である。
【図２】可動役物装置（演出部材が突出位置）を装備した遊技盤の正面図である。
【図３】可動役物装置の前側からの斜視図である。
【図４】図３の可動役物装置の後側からの斜視図である。
【図５】演出部材を省略した図３相当図である。
【図６】図５の可動役物装置の正面図である。
【図７】図５の可動役物装置の後面図である。
【図８】ベース部材を省略した図７相当図である。
【図９】可動役物装置の分解斜視図である。
【図１０】ベース部材等の分解斜視図である。
【図１１】第１可動部材の分解斜視図である。
【図１２】可動役物装置（演出部材が待機位置）の要部斜視図である。
【図１３】可動役物装置（演出部材が途中位置）の要部斜視図である。
【図１４】可動役物装置（演出部材が突出位置）の要部斜視図である。
【図１５】可動役物装置の作動説明図（要部正面図）である。
【図１６】変更形態１の可動役物装置の要部正面図である。
【図１７】変更形態２の可動役物装置の要部正面図である。
【図１８】変更形態３の可動役物装置の要部正面図である。
【図１９】変更形態４の可動役物装置の要部正面図である。
【図２０】変更形態５の可動役物装置の要部正面図である。
【発明を実施するための形態】
【００１７】
以下、発明の実施の形態について実施例に基づいて説明する。
【実施例】
【００１８】
図１、図２に示すように、パチンコ遊技機１には遊技盤２が設けられ、この遊技盤２とその前側の透明板（図示略）との間に、球発射部（図示略）で発射された遊技球がガイドレール２ｇにより導入される遊技領域２ａが形成されている。遊技盤２には遊技領域２ａに配置された多数の障害釘（図示略）や各種入賞口（始動口２ｂ，２ｃ、ゲート２ｄ、大入賞口２ｅ、一般入賞口２ｆ等）を形成する種々の遊技部品が取付けられている。遊技球が始動口２ｂ，２ｃに入賞した場合、大当り抽選が行われ、その大当り抽選で当選した場合、大当りとなって通常は閉塞の大入賞口２ｅが開放される。
【００１９】
遊技盤２にはセンタ役物３が取付けられ、このセンタ役物３に遊技演出用の画像表示器４及び本案特有の可動役物装置５が装備されている。センタ役物３は遊技盤２に大きく形成されたセンタ開口部（図示略）に嵌合装着されたセンタ枠体３ａを有し、画像表示器４はその画面をパチンコ遊技機１の前側からセンタ枠体３ａの内側を通して視認できるように配置されている。画像表示器４には、始動口２ｂ，２ｃへの遊技球の入賞に基づいて行われる大当抽選を演出するために、複数の演出図柄が変動後停止するように表示されるとともに各種動画が表示され、また、大当り中にも大当り演出用の各種動画が表示される。
【００２０】
可動役物装置５は、センタ役物３の下部に装着され、例えば、大当り抽選に関する報知（例えば、大当り抽選での当選、或いは当選期待度が高い旨の報知）を行うために作動して、演出部材１３（所謂役物部材やギミック）を遊技盤２の盤面と平行方向に直線的に、図１に示す待機位置と図２に示す突出位置とに亙って上下動させる。可動役物装置５の非作動時に、演出部材１３は画像表示器４による表示の邪魔にならない待機位置に位置し、可動役物装置５の作動時に、演出部材１３は画像表示器４の前側で移動する。
【００２１】
可動役物装置５について詳しく説明する。
図３〜図１５に示すように、可動役物装置５は、ベース部材１０と、ベース部材１０に上下方向へ移動自在に設けられた第１可動部材１１と、第１可動部材１１に上下方向へ移動自在に設けられた第２可動部材１２と、第２可動部材１２に取付けられた演出部材１３と、第１可動部材１１をベース部材１０にガイドする第１ガイド機構１４と、第２可動部材１２を第１可動部材１１にガイドする第２ガイド機構１５と、第１可動部材１１を移動させる電動モータ３０を有する第１移動駆動機構１６と、第１移動駆動機構１６により第１可動部材１１を移動駆動する動力を利用して第２可動部材１２を第１可動部材１１に対して移動駆動する第２移動駆動機構１７とを備えている。
【００２２】
ベース部材１０、第１，第２可動部材１１，１２、演出部材１３について説明する。
図３〜図１０等に示すように、ベース部材１０は薄板状に形成され、センタ枠体３ａの下部後面側において板面を前後方向に向けて配置されて、センタ役物３に固定されている。ベース部材１０は、略正方形状の本体板部１０ａと、本体板部１０ａの下部から右方へ張出す取付板部１０ｂとを有する。本体板部１０ａの上下両端近傍の前面部には、左右方向に長い上支持部材２０及び下支持部材２１が取付けられている。
【００２３】
図５〜図６、図８、図９、図１１〜図１５等に示すように、第１可動部材１１は、ベース部材１０よりも前方位置に配設され、ベース部材１０と略同じ上下長とベース部材１０よりも小さい（例えば、本体板部１０ａの２／３程度の）左右長とを有する。第１可動部材１１は、ベース部材１０と重なった位置から上方へ進出可能に第１ガイド機構１４によりガイドされている。第１可動部材１１は、上下方向に長い矩形枠部材１１ａを有し、この矩形枠部材１１ａの上下両端近傍の後面部には、左右方向に長い上可動支持部材２５及び下可動支持部材２６が取付けられている。
【００２４】
図６、図８、図９、図１２〜図１５等に示すように、第２可動部材１２は、ベース部材１０と第１可動部材１１との間に配設され、第１可動部材１１（ベース部材１０）と略同じ上下長と第１可動部材１１よりも小さい（例えば、第１可動部材１１の２／３程度の）左右長とを有する。第２可動部材１２は、第１可動部材１１（ベース部材１０）と重なった位置から上方へ進出可能に第２ガイド機構１５によりガイドされている。第２可動部材１２は、左右に間隔を空けて配置連結された１対の第２ラック部材１２ａと、１対の第２ラック部材１２ａの上方に設けられた演出取付部１２ｂとを有する。
【００２５】
図３、図４等に示すように、演出部材１３は、円形の演出本体部１３ａと、演出本体部１３ａから下方へ連なるスカート部１３ｂとを有する。尚、演出本体部１３ａは、図３、図４に示すものとは多少異なり、その後側全てを遮蔽するように構成されている。演出部材１３は、第１，第２可動部材１１，１２よりも前方位置に配設され、演出本体部１３ａが第２可動部材１２の演出取付部１２ｂに固定されている。演出部材１３については、例えば、複数のＬＥＤを有する電飾機器を含む構成にすることができる。
【００２６】
第１，第２ガイド機構１４，１５について説明する。
図１０等に示すように、第１ガイド機構１４は、ベース部材１０に第１，第２可動部材１１，１２の軸線ｍ（図６参照）に対して左右対称に設けられ第１可動部材１１を上下方向へ移動自在にガイドする１対の第１ガイドロッド１８を有する。１対の第１ガイドロッド１８の上端部がベース部材１０の上支持部材２０に内嵌状に固定され、１対の第１ガイドロッド１８の下端部がベース部材１０の下支持部材２１に内嵌状に固定されている。第１可動部材１１の下可動支持部材２６の左右両端部に設けられた１対の被ガイド部１８ａ（図９等参照）が、１対の第１ガイドロッド１８に夫々摺動自在に外嵌されている。
【００２７】
図８、図９、図１１等に示すように、第２ガイド機構１５は、第１可動部材１１に前記軸線ｍに対して左右対称に設けられ第２可動部材１２を上下方向へ移動自在にガイドする１対の第２ガイドロッド１９を有する。１対の第２ガイドロッド１９の上端部が第１可動部材１１の上可動支持部材２５に内嵌状に固定され、１対の第２ガイドロッド１９の下端部が第１可動部材１１の下可動支持部材２６に内嵌状に固定されている。第２可動部材１２の１対の第２ラック部材１２ａの下端部に設けられた被ガイド部１９ａが、１対の第２ガイドロッド１９に夫々摺動自在に外嵌されている。
【００２８】
また、第２ガイド機構１５に関して、第１可動部材１１の上可動支持部材２５にガイド部材２５ａが固定され、このガイド部材２５ａの鍔状部２５ｂが第２可動部材１２の１対の第２ラック部材１２ａの内側端縁に摺動自在に係合して、このガイド部材２５ａによっても第２可動部材１２が上下方向へ移動自在にガイドされる。
【００２９】
第１移動駆動機構１６について説明する。
図３〜図１０、図１２〜図１５等に示すように、第１移動駆動機構１６は、前記電動モータ３０と、ベース部材１０に回転自在に支持されたネジ軸３１と、第１可動部材１１に設けられネジ軸３１に螺合されたナット部材３２とを有する。
【００３０】
電動モータ３０は、第１，第２可動部材１１，１２に対して遊技盤２の盤面平行方向の右方にシフトした位置に、モータ出力軸３０ａが第１可動部材１１の移動方向と平行になるように下向きに配置されている。電動モータ３０は、ベース部材１０の取付板部１０ｂに形成された台座１０ｃに載置され、同取付板部１０ｂに形成された切欠穴１０ｄに一部が嵌まるように取付けられている。台座１０ｃから下方へ突出するモータ出力軸３０ａに駆動プーリ３３が固着されている。
【００３１】
ネジ軸３１の上端部がベース部材１０の上支持部材２０に回動自在に支持され、ナット部材３２は第１可動部材１１の下可動支持部材２６に固定されている。ネジ軸３１はナット部材３２を介して下可動支持部材２６を貫通し、更に、ベース部材１０の下支持部材２１を貫通し、ネジ軸３１の下端部にプーリ３４が固着されている。プーリ３３，３４にはベルト３５が掛装され、電動モータ３０によりプーリ３３，３４及びベルト３５を介してネジ軸３１が回転駆動される。
【００３２】
第２移動駆動機構１７について説明する。
図８〜図１５等に示すように、第２移動駆動機構１７は、前記軸線ｍに対して左右対称に設けられた１対の動力伝達機構４０を備え、各動力伝達機構４０は、第１可動部材１１に設けられた第１，第２ピニオン４１，４２と、第１ピニオン４１が噛合するようにベース部材１０に設けられ第１可動部材１１の移動により第１ピニオン４１を回転させる第１ラック４３と、第２ピニオン４２が噛合するように第２可動部材１２に設けられ第２ピニオン４２の回転により第２可動部材１２を移動させる第２ラック４４と、第１ピニオン４１の回転に同期して第２ピニオン４２を回転させるピニオン連動機構４５とを有する。
【００３３】
尚、第１ピニオン４１が第１可動部材１１の移動により作動する第１作動部材に相当し、第２ピニオン４２が第１可動部材１１に対して第２可動部材１２を移動させるように作動する第２作動部材に相当し、第１，第２ピニオン４１，４２を同期回転させるピニオン連動機構４５が第１作動部材（第１ピニオン４１）の作動に同期して第２作動部材（第２ピニオン４２）を作動させる作動部材連動機構に相当する。
【００３４】
ここで、ベース部材１０の本体板部１０ａの左右両端近傍の前面部には、上下方向に長く且つ横断面形状がクランク形状の左右１対の第１ラック部材２２が取付けられ、これら１対の第１ラック部材２２の内側端縁に１対の第１ラック４３が上下方向に連続的に形成されている。尚、各第１ラック部材２２の内側部分に第１ガイドロッド１８が配置されている。また、第２可動部材１２の１対の第２ラック部材１２ａの外側端縁に１対の第２ラック４４が上下方向に連続的に形成されている。
【００３５】
各動力伝達機構３０の詳細は次の通りである。
第１ピニオン４１は、第１ラック４３よりも前記軸線ｍ側において、第１可動部材１１の枠状部材１１ａの下端部に後方突出状に設けられた前後方向の軸部１１ｃに回転自在に外嵌装着されている。第１可動部材１１がベース部材１０に対して最も退入した状態（図１２参照）で、第１ピニオン４１が第１ラック４３の下端部分に噛合し、第１可動部材１１がベース部材１０に対して最も進出した状態（図１４参照）で、第１ピニオン４１が第１ラック４３の上端部分に噛合する。
【００３６】
第２ピニオン４２は、第２ラック４４よりも前記軸線ｍに対して反対側において、第１可動部材１１の枠状部材１１ａの上端部に後方突出状に設けられた前後方向の軸部１１ｄに回転自在に外嵌装着されている。第２可動部材１２が第１可動部材１１に対して最も退入した状態（図１２参照）で、第２ピニオン４２が第２ラック４４の上端部分に噛合し、第２可動部材１２が第１可動部材１１に対して最も進出した状態（図１４参照）で、第２ピニオン４２が第２ラック４４の下端側部分に噛合する。
【００３７】
ピニオン連動機構４５は、第１，第２ピニオン４１，４２に夫々設けられた第１，第２プーリ４６，４７と、第１，第２プーリ４６，４７に掛装されたタイミングベルト４８とを有する。第１，第２ピニオン４１，４２のギヤ比は１：１であり、第１プーリ４６が１回転すると、第２プーリ４７が第１プーリ４６と同回転方向へ１回転する。
【００３８】
ここで、第１プーリ４６は、第１ピニオン４１にその後側に位置するように一体形成されて、軸部１１ｃに回転自在に支持され、この状態で、軸部１１ｃにビス止めされた下可動支持部材２６により抜止めされている。同様に、第２プーリ４７は、第２ピニオン４２にその後側に位置するように一体形成されて、軸部１１ｄに回転自在に支持され、この状態で、軸部１１ｄにビス止めされた下可動支持部材２６により抜止めされている。
【００３９】
尚、可動役物装置５の制御系には、原点検出センサ５０が設けられ、この原点検出センサ５０で検出された原点位置に基づいて電動モータ３０が制御される。原点検出センサ５０は、第１可動部材１１の最も退入した位置（或いはその近傍位置）を、第１可動部材１１の枠状部材１１ａに一体的に設けられた遮蔽部５１の検知を介して検出する。
【００４０】
次に、可動役物装置５の作用・効果について説明する。
可動役物装置５が非作動状態のとき、図１、図１２に示すように、演出部材１３が画像表示器４による表示の邪魔にならない待機位置に位置し、このとき、第１ピニオン４１が第１ラック４３の下端側部分に噛合し、第２ピニオン４２が第２ラック４４の上端側部分に噛合し、第１，第２可動部材１１，１２が下限位置に位置している。
【００４１】
可動役物装置５が作動し、電動モータ３０によりプーリ３３，３４及びベルト３５を介してネジ軸３１が図１５に示す矢印ａ１方向に回転駆動されると、このネジ軸３１とナット部材３２により第１可動部材１１がベース部材１０に対して上昇し、この第１可動部材１１と共に上昇する第１ピニオン４１が第１ラック４３により図１５に示す矢印ｂ１方向に回転する。
【００４２】
第１ピニオン４１が矢印ｂ１方向に回転すると、第１，第２プーリ４６，４７及びタイミングベルト４８により、第１可動部材１１と共に上昇する第２ピニオン４２が図１５に示す矢印ｃ１方向に回転し、すると、この第２ピニオン４２及び第２ラック４４により第２可動部材１２が第１可動部材１１に対して上昇する。
【００４３】
一方、前記とは逆に、ネジ軸３１が図１５に示す矢印ａ２方向に回転駆動されると、第１可動部材１１がベース部材１０に対して下降し、第１ピニオン４１が第１ラック４３により図１５に示す矢印ｂ２方向に回転し、第２ピニオン４２が図１５に示す矢印ｃ２方向に回転し、第２可動部材１２が第１可動部材１１に対して下降する。
【００４４】
以上の第１，第２可動部材１１，１２及び第１，第２移動駆動機構１６，１７の動作により、演出部材１３が第２可動部材１２と共に、図１、図１２に示す待機位置から、図１３に示す途中位置を経由して、図２、図１４に示す突出位置へ、一気に上昇して、或いは何回か昇降してから到達する。そのことで何らかの報知を行った後、演出部材１３が図１、図１２に示す待機位置まで下降して、可動役物装置５が作動を終了する。尚、演出部材１３が画像表示器４の前側を移動する際、その画像表示器４の前側において、演出部材１３よりも下方の可動部材１１，１２や移動駆動機構１６，１７等は、演出部材１３のスカート部１３ｂにより遮蔽されるため露出しない。
【００４５】
この可動役物装置５によれば次の効果を奏する。
第１可動部材１１を移動させる電動モータ３０を有する第１移動駆動機構１６を設け、この第１移動駆動機構１６により第１可動部材１１を移動駆動する動力を利用して第２可動部材１２を第１可動部材１１に対して移動駆動する第２移動駆動機構１７を設けたので、１つの電動モータ３０を共通の駆動源として、第１，第２可動部材１１，１２を連鎖的に移動させて、第２可動部材１２の移動量を大きくすることができる。
【００４６】
第２移動駆動機構１７は、第１可動部材１１に設けられた第１，第２ピニオン４１，４２と、第１ピニオン４１が噛合するようにベース部材１０に設けられ、第１可動部材１１の移動により第１ピニオン４１を回転させる第１ラック４３と、第２ピニオン４２が噛合するように第２可動部材１２に設けられ、第２ピニオン４２の回転により第２可動部材１２を移動させる第２ラック４４と、第１ピニオン４１の回転に同期して第２ピニオン４２を回転させるピニオン連動機構４５とを有する。
【００４７】
従って、第１可動部材１１を移動駆動することにより、第２可動部材１２を第１可動部材１１に対して確実に移動駆動することができる。つまり、第２移動駆動機構１７により、第１移動駆動機構１６で第１可動部材１１を移動駆動する動力を利用して第２可動部材１２を第１可動部材１１に対して確実に移動駆動することができる。
【００４８】
上記のように、１つの電動モータ３０を共通の駆動源として、第１，第２可動部材１１，１２を移動させ得ることから、また、可動役物装置５の全体的な前後方向の厚みを小さくすることができ、ピニオン連動機構４５等も比較的コンパクトに設け得るため、第２可動部材１２の移動量を大きくしても、第１，第２可動部材１１，１２や第１，第２移動駆動機構１６，１７を大型化するのを抑制することができる。
【００４９】
しかも、通常時、つまり可動役物装置５の非作動時に、第１，第２可動部材１１，１２、第１，第２移動駆動機構１６，１７を比較的コンパクトに纏めることができる。従って、近年、遊技盤２に装備される各種機器が高密度になる傾向であるが、遊技盤２に装備される他の各種機器の配置等を考慮しても、第２可動部材１２の移動量を大きくして可動役物装置５を遊技盤２に装備する配置上の問題点は軽減される。
【００５０】
ここで、可動役物装置５は、演出部材１３を画像表示器２の前側（露出空間）で且つ直線的に移動させるものであり、通常時に演出部材１３を画像表示器２による表示の邪魔にならない位置に待機させるが、その際、演出部材１３以外の第１，第２可動部材１１，１２や第１，第２移動駆動機構１６，１７が極力露出しないようにして、演出部材１３の露出空間への突出量（第２可動部材１２の移動量）を大きくすることができ、依って、演出部材１３が作動した際のインパクトが大きくなり、演出効果が格段に高められる。
【００５１】
ピニオン連動機構４５は、第１，第２ピニオン４１，４２に夫々設けられた第１，第２プーリ４６，４７と、第１，第２プーリ４６，４７に掛装されたタイミングベルト４８とを有するので、第１ピニオン４１の回転に同期して第２ピニオン４２を確実に回転させることができる。
【００５２】
第１移動駆動機構１６は、ベース部材１０に回転自在に支持されたネジ軸３１と、第１可動部材１１に設けられネジ軸３１に螺合されたナット部材３２とを有し、電動モータ３０がネジ軸３１を回転駆動するので、この第１移動駆動機構１６により第１可動部材１１を確実に移動駆動することができる。
【００５３】
電動モータ３０を、第１，第２可動部材１１，１２に対して遊技盤２の盤面平行方向にシフトした位置に、モータ出力軸３０ａが第１可動部材１１の移動方向と平行になるように配置したので、可動役物装置５の全体的な前後厚さを小さく維持することができ、依って、この可動役物装置５の前後に配置される部材等の邪魔にならないように可動役物装置５を装備することができる。
【００５４】
可動役物装置５は、ベース部材１０に前記軸線ｍに対して対称に設けられ第１可動部材１１を移動自在にガイドする１対の第１ガイドロッド１８と、第１可動部材１１に前記軸線ｍに対して対称に設けられ第２可動部材１２を移動自在にガイドする１対の第２ガイドロッド１９とを備えたので、第１，第２可動部材１１，１２を夫々円滑に移動させることができるので、可動役物装置５の作動信頼性が確保される。
【００５５】
第１，第２ピニオン４１，４２、第１，第２ラック４３，４４、及びピニオン連動機構４５を前記軸線ｍに対して対称に１対設けたので、第２移動駆動機構１７により、第１移動駆動機構１６で第１可動部材１１を移動駆動する動力を利用して第２可動部材１２を第１可動部材１１に対して確実に移動駆動することができ、第１，第２可動部材１１，１２に作用する力のバランスも良くなるため、可動役物装置５の作動信頼性を高められる。
【００５６】
尚、前記実施例を部分的に次のように変更してもよい。
（１）図１６に示すように、可動役物装置５Ａにおいて、第２移動駆動機構１７Ａのピニオン連動機構４５Ａは、第１，第２ピニオン４１，４２を連動連結するギヤ列６０を有する。前記実施例の第１，第２プーリ４６，４７及びタイミングベルト４８は省略される。このギヤ列６０の各ギヤは第１可動部材１１Ａに回転自在に装着されている。ギヤ列６０のギヤ数は奇数個（５個）であり、第１，第２プーリ４６，４７は同方向へ回転する。このピニオン連動機構４５Ａでは、第１ピニオン４１から第２ピニオン４２へ動力を確実に伝達することができる。
【００５７】
（２）図１７に示すように、可動役物装置５Ｂにおいて、第２移動駆動機構１７Ｂのピニオン連動機構４５Ｂは、前記ギヤ列６０ではなく、第１，第２ピニオン４１，４２の中間に位置してこれらに噛合する１つのギヤ６１を有する。このギヤ６１は第１可動部材１１Ｂに回転自在に装着され、前記同様、第１，第２プーリ４６，４７は同方向へ回転する。構造が簡単化するが、第１，第２ピニオン４１，４２の配置、第１，第２可動部材１１Ｂ，１２の移動量等が変更される。尚、第１，第２ピニオン４１，４２を共通の１つのピニオンで構成し、このピニオンを第１，第２ラックの両方に噛合させてもよい。
【００５８】
（３）図１８に示すように、この可動役物装置５Ｃの第２移動駆動機構１７Ｃは、前記実施例の第２ピニオン４２及び第２ラック４４の他、ベース部材１０Ｃに設けられた第１ピニオン４１Ｃと、第１ピニオン４１Ｃが噛合するように第１可動部材１１Ｃに設けられ第１可動部材１１Ｃの移動により第１ピニオン４１Ｃを回転させる第１ラック４３Ｃと、第１ピニオン４１Ｃの回転に同期して第２ピニオン４２を回転させるピニオン連動機構４５Ｃとを有する。
【００５９】
（４）図１９に示すように、この可動役物装置５Ｄの第２移動駆動機構１７Ｄは、前記実施例の第１ピニオン４１及び第１ラック４３の他、第２可動部材１２Ｄに設けられた第２ピニオン４２Ｄと、第２ピニオン４２Ｄが噛合するように第１可動部材１１Ｃに設けられ第２ピニオン４２Ｄの回転により第２可動部材１２Ｄを移動させる第２ラック４４Ｄと、第１ピニオン４１の回転に同期して第２ピニオン４２Ｄを回転させるピニオン連動機構４５Ｄとを有する。
【００６０】
（５）図２０に示すように、この可動役物装置５Ｅの第２移動駆動機構１７Ｅは、ベース部材１０Ｅに設けられた第１ピニオン４１Ｅと、第２可動部材１２Ｅに設けられた第２ピニオン４２Ｅと、第１ピニオン４１Ｅが噛合するように第１可動部材１１Ｅに設けられ第１可動部材１１Ｅの移動により第１ピニオン４１Ｅを回転させる第１ラック４３Ｅと、第２ピニオン４２Ｅが噛合するように第１可動部材１１Ｅに設けられ第２ピニオン４２Ｅの回転により第２可動部材１２Ｅを移動させる第２ラック４４Ｅと、第１ピニオン４１Ｅの回転に同期して第２ピニオン４２Ｅを回転させるピニオン連動機構４５Ｅとを有する。
【００６１】
（６）前記実施例では、第１，第２ピニオン４１，４２のギヤ比を１：１に設定しているため、第１可動部材１１の移動量と第１可動部材１１に対する第２可動部材１２の移動量の比も１：１になるが、前記ギヤ比を種々変更することにより、第２可動部材１２のトータルの移動量を変更することができる。
（７）第１移動駆動機構１６として、前記実施例のネジ軸・ナット機構以外に、ラック・ピニオン機構、カム機構、リンク機構等の種々の機構を採用してもよい。
【００６２】
（８）前記実施例では、第１，第２可動部材１１，１２を昇降するものであるが、第１，第２可動部材１１，１２を他の移動方向となるように可動役物装置５を装備してもよい。例えば、第１，第２可動部材１１，１２を左右方向に移動させるようにしてもよい。また、演出部材１３の待機位置についても種々変更可能である。
【００６３】
（９）第１，第２可動部材１１，１２の移動方向を前記実施例のように平行とする以外に構成可能である。例えば、第１可動部材を上下方向へ移動させるのに対して、その動力を利用して第２可動部材を左右方向へ移動させるように構成してもよい。
（１０）第１可動部材１１の前記移動については直線的な移動に限定されない。例えば、第１可動部材を回動させるように構成してもよい。第２可動部材１２の前記移動についても、同様に直線的な移動に限定されない。例えば、第１可動部材１１を移動駆動する動力を利用して第２可動部材を第１可動部材に対して回動駆動するように構成してもよい。
【００６４】
（１１）その他、本発明の趣旨を逸脱しない範囲において、前記開示事項以外の種々の変更を付加して実施可能である。例えば、演出部材１３を画像表示器４の前側以外の空間において移動させるように構成することもできる。また、本発明の可動役物装置は、種々のパチンコ遊技機に適用することが可能である。
【符号の説明】
【００６５】
１  パチンコ遊技機
２  遊技盤
５，５Ａ〜５Ｅ  可動役物装置
１０，１０Ｃ，１０Ｅ  ベース部材
１１，１１Ａ〜１１Ｅ  第１可動部材
１２，１２Ｄ，１２Ｅ  第２可動部材
１６  第１移動駆動機構
１７，１７Ａ〜１７Ｅ  第２移動駆動機構
１８  第１ガイドロッド
１９  第２ガイドロッド
３０  電動モータ
３０ａ  モータ出力軸
３１  ネジ軸
３２  ナット部材
４１，４１Ｃ，４１Ｅ  第１ピニオン
４２，４２Ｄ，４２Ｅ  第２ピニオン
４３，４３Ｃ，４３Ｅ  第１ラック
４４，４４Ｄ，４４Ｅ  第２ラック
４５，４５Ａ〜４５Ｅ  ピニオン連動機構
４６  第１プーリ
４７  第２プーリ
４８  タイミングベルト
【図１】
0005208242.tif 000002
【図２】
0005208242.tif 000003
【図３】
0005208242.tif 000004
【図４】
0005208242.tif 000005
【図５】
0005208242.tif 000006
【図６】
0005208242.tif 000007
【図７】
0005208242.tif 000008
【図８】
0005208242.tif 000009
【図９】
0005208242.tif 000010
【図１０】
0005208242.tif 000011
【図１１】
0005208242.tif 000012
【図１２】
0005208242.tif 000013
【図１３】
0005208242.tif 000014
【図１４】
0005208242.tif 000015
【図１５】
0005208242.tif 000016
【図１６】
0005208242.tif 000017
【図１７】
0005208242.tif 000018
【図１８】
0005208242.tif 000019
【図１９】
0005208242.tif 000020
【図２０】
0005208242.tif 000021